(57)【要約】      （修正有）【課題】ケーブルと接続する自動ロックのコネクタを提供する。【解決手段】コネクタ１０はカバープレート１２、下板体１４及び補助パーツ２０を含む。カバープレート１２は表面と側辺があり、その表面は２つの側辺近くに開口１２２をそれぞれ形成する。カバープレート１２の側辺はエクステンション・アーム１２４を形成し、且つエクステンション・アーム１２４の外側にスナップパーツ１２６を形成し、エクステンション・アーム１２４の外側に第一連結パーツ１２４２を形成する。下板体１４はカバープレート１２と接続する。下板体１４はケーブルを置く収容空間ＳＰを提供する。下板体１４はターミナル溝１４２、作動溝１４４及び回転台１４６を形成する。ターミナル溝１４２と作動溝１４４は収容空間ＳＰで形成される。ターミナル溝１４２はターミナル１６を設置するためにあり、作動溝１４４はホルダー１８を設置するためにある。【選択図】図２
0003226011.tif 000002
【実用新案登録請求の範囲】
【請求項１】
ケーブルと回路板を接続するコネクタであり、カバープレート、下板体及び補助パーツを含み、
前記カバープレートは表面と側辺を含み、前記カバープレートの表面は開口を形成し、前記カバープレートの側辺はエクステンション・アームを形成し、且つ前記エクステンション・アームの外側はスナップパーツと第一連結パーツを形成し、
前記下板体は前記カバープレートと接続し、前記下板体はターミナル溝、収容空間、作動溝及び回転台を形成し、前記ターミナル溝と前記作動溝は前記収容空間に形成され、前記収容空間はケーブルを挿入し、前記ターミナル溝はターミナルを設置するためにあり、前記作動溝はホルダーを設置するためにあり、前記回転台は前記作動溝の側辺に形成され、第二連結パーツを提供し、そのうち前記作動溝に設置された前記ホルダーの位置は前記開口の位置に対応し、前記回転台は前記エクステンション・アームに対応して設置され、
前記補助パーツは前記下板体に設置され、且つ前記回転台にはめられ、
そのうち、前記第一連結パーツと前記第二連結パーツの嵌合により、前記カバープレートは前記下板体と嵌合され、且つ前記スナップパーツが前記回転台に作用し、前記ホルダーに合わせることを通じ、前記収容空間に前記ケーブルを挟み、また前記カバープレートに外力が加えられると、前記カバープレートと前記下板体の間に夾角が生まれ、前記ホルダーを変形させ、前記ケーブルが外れることを特徴とするコネクタ。
【請求項２】
前記開口は前記ホルダーの上部に形成され、前記ホルダーは変形する際、前記ホルダーは前記開口を貫通することを特徴とする、請求項１に記載のコネクタ。
【請求項３】
前記補助パーツは嵌合部と係止部を含み、前記嵌合部は前記係止部と連接し、前記嵌合部は前記回転台と接合し、前記係止部と前記回転台の間は一定の間隔ができ、前記エクステンション・アームを置くことを特徴とする、請求項１に記載のコネクタ。
【請求項４】
前記補助パーツは更に固定部を含み、前記下板体を前記回路板でロックすることを特徴とする、請求項３に記載のコネクタ。
【請求項５】
前記スナップパーツはブロック型突起や点状突起とし、前記係止部は開口とし、前記ブロック型突起や点状突起により前記開口を係止し、前記カバープレートと前記下板体の間の夾角は０度または０度に近い角度を維持することを特徴とする、請求項３に記載のコネクタ。
【請求項６】
前記第一連結パーツは貫孔であり、前記第二連結パーツは突起した柱であり、前記突起した柱は前記貫孔にはまることを特徴とする、請求項１に記載のコネクタ。
【請求項７】
前記ホルダーの一端は前記カバープレートと接続され、前記ホルダーのもう一方の一端は前記作動溝で係合し、前記外力を前記カバープレートに加えると、前記ホルダーを変形させることを特徴とする、請求項６に記載のコネクタ。
【請求項８】
前記外力を前記カバープレートに加えると、前記カバープレートと前記下板体の間の夾角は反時計回りに回転することを特徴とする、請求項７に記載のコネクタ。
【請求項９】
前記作動溝は止めブロックを形成し、且つ前記カバープレートと前記下板体を組み合わせる際、前記止めブロックは開口に隣接することを特徴とする、請求項１に記載のコネクタ。
【請求項１０】
前記ホルダーは前記ケーブルの圧迫により、前記ホルダーの一部を前記開口から突起させることを特徴とする、請求項１に記載のコネクタ。
【考案の詳細な説明】
【技術分野】
【０００１】
本考案はコネクタの技術分野に属し、特にワイヤーを自動ロックするコネクタである。
【背景技術】
【０００２】
従来のコネクタは、ケーブルは自動ロックのコネクタを使って接続し、自動ロックの目的を達成するために、その構造はホルダーが必要であり、且つホルダーは一定の空間が必要なため、自動ロックのコネクタの高さは比較的高めになり、使用環境によっては使いにくいという問題がある。
【０００３】
ここで、本考案は従来のコネクタが引き起こす問題点を解決できるコネクタを提供する。
【考案の概要】
【考案が解決しようとする課題】
【０００４】
本考案の第一目的は、カバープレート、下板体及び補助パーツを提供し、自動ロックを達成する目的である。
【０００５】
本考案の第二目的は、前記コネクタを元に、カバープレートと下板体を接合し、カバープレートの後部に作用力（引力）が加えられ、ケーブルのロックが解除される目的である。
【０００６】
本考案の第三目的は、前記コネクタを元に、カバープレートに開口を開設するため、カバープレートと下板体の嵌合時、ホルダー（ケーブルをロックするための構造）の一部分は開口から突起させ、機械の干渉現象を起こさず、薄型化を達成する目的である。
【課題を解決するための手段】
【０００７】
前記目的とその他の目的を達成するために、本考案はコネクタを提供し、前記コネクタはケーブルと回路板を接続する。コネクタはカバープレート、下板体及び補助パーツを含む。カバープレートは表面と側辺がある。カバープレートの表面は開口を形成し、カバープレートの側辺にはエクステンション・アームが形成され、且つエクステンション・アームの外側はスナップパーツと第一連結パーツを形成する。下板体はカバープレートと接続される。下板体はターミナル溝、収容空間、作動溝及び回転台を形成する。ターミナル溝と作動溝は収容空間に形成される。収容空間はケーブルを挿入できる。ターミナル溝はターミナルを置き、作動溝はホルダーを置く。回転台は作動溝の側辺に形成され、及び第二連結パーツを提供する。そのうち、作動溝に設置されたホルダーの位置は開口の位置に対応し、回転台はエクステンション・アームに対応して設置される。補助パーツは下板体に設置され、且つ回転台にはめられる。そのうち、第一連結パーツと第二連結パーツの嵌合により、カバープレートは下板体と嵌合され、且つスナップパーツにより回転台に作用し、ホルダーに合わせ、収容空間にケーブルを挟める。また、カバープレートに外力が加えられると、カバープレートと下板体の間に夾角が生まれ、ホルダーを変形させ、ケーブルが外れる。
【０００８】
広く知られている技術に比べ、本考案が提供するコネクタは自動ロック（ＡｕｔｏＬｏｃｋ）型で、ケーブルをコネクタに挿し込む際、ケーブルは自動ロックされ、且つ補助パーツとカバープレートのスナップパーツにより、自動ロックが更に安定する。また、カバープレートを引き上げることにより（ケーブルを挿入していない側）、ケーブルはコネクタから外すことができる。
【図面の簡単な説明】
【０００９】
【図１】図１は本考案の実施例におけるコネクタの構造見取り図である。
【図２】図２は本考案の図１のコネクタの分解を説明する見取り図である。
【図３】図３は本考案の図１の補助パーツの詳細な構造を説明する見取り図である。
【図４】図４は本考案の図１のコネクタのＡ−Ａ’の断面を説明する見取り図である。
【考案を実施するための形態】
【００１０】
本考案の目的・特徴及び効果について理解するために、以下に述べる具体的な実施例を通し、付属の図面と合わせ、本考案の詳細な説明をする。説明文は以下である。
【００１１】
本考案の個数は、特に記載がない場合を除き、一つまたは少なくとも一つであり、  且つ複数である場合を含むことがある。
【００１２】
考案における「含む」や「備える」またそれらに類似する用語は、非排他的な包括物を網羅していることを意味する。例えば、複数の要素を含むユニットや構造・製品・装置は、本文に記載される要素に限らず、記載がなくとも該当するユニットや構造・製品・装置が通常持つ他の要素を包括することもできる。これ以外に、特に記載がない場合を除き、本文中の「あるいは」という用語は包括的意味として用いられ、排他的意味を持たない。
【００１３】
図１を参照すると、本考案の実施例におけるコネクタの構造見取り図である。図１のうち、コネクタ１０はケーブル４と回路板２を接続するために用いられる。図１の上部図式はコネクタ１０とケーブル４をロックしている状態であり、また図１の下部図式はコネクタ１０とケーブル４のロックを解除している状態である。
【００１４】
図２を合わせて参照すると、本考案の図１のコネクタの分解を説明する見取り図である。コネクタ１０はカバープレート１２、下板体１４及び補助パーツ２０を含む。そのうち、図２の上部図式はカバープレート１２の構造であり、図２の中央図式は下板体１４の構造であり、図２の下部図式はターミナル１６、ホルダー１８及び補助パーツ２０などの構造である。
【００１５】
カバープレート１２は表面と側辺があり、その表面は２つの側辺近くに開口１２２をそれぞれ形成する。その他、カバープレート１２の側辺はエクステンション・アーム１２４を形成し、且つエクステンション・アーム１２４の外側にスナップパーツ１２６を形成し、エクステンション・アーム１２４の外側に第一連結パーツ１２４２を形成する。そのうちスナップパーツ１２６はブロック型突起や点状突起である。ここでは、第一連結パーツ１２４２はエクステンション・アーム１２４での貫孔やその他の型式とすることができる。
【００１６】
下板体１４はカバープレート１２と接続する。下板体１４はケーブル４を置く収容空間ＳＰを提供する。下板体１４はターミナル溝１４２、作動溝１４４及び回転台１４６を形成する。ターミナル溝１４２と作動溝１４４は収容空間ＳＰで形成される。
【００１７】
ターミナル溝１４２はターミナル１６を設置するためにあり、作動溝１４４はホルダー１８を設置するためにある。そのうち、ホルダー１８の構造は図４の断面図の中の構造で参照でき、ホルダー１８は独立した部品であってもカバープレート１２から延伸した部品であってもよい。ここでは後者を例にとって説明する。
【００１８】
図２に戻り、回転台１４６は作動溝１４４の側辺に形成され、そして第二連結パーツ１４６２を提供する。ここでは、第二連結パーツ１４６２は回転台１４６上の突起した柱やその他の型式でもよい。そのため、回転台１４６は突起した柱により、エクステンション・アーム１２４の貫孔とはまる。別の実施例では第一連結パーツと第二連結パーツの型式は交換して使用できる。すなわち、第一連結パーツを突起した柱と、第二連結パーツを貫孔とすることもできる。そのうち、作動溝１４４に設置されたホルダー１８は開口１２２の位置に対応した位置に置かれる。回転台１４６はエクステンション・アーム１２４に対応して設置される。その他、作動溝１４４は止めブロック１４４２を形成でき、且つカバープレート１２と下板体１４を組み立ての際、止めブロック１４４２は開口１２２に隣接する。
【００１９】
補助パーツ２０は下板体１４に設置され、且つ回転台１４６にはめられ、ラッチ（または嵌め込み）方式により回転台１４６と嵌合する。図３の上部図式と合わせて参照すると、補助パーツ２０の詳細な構造である。そのうち、補助パーツ２０は更に嵌合部２０４と係止部２０２を含む。嵌合部２０４は係止部２０２と連接する。嵌合部２０４は回転台１４６と嵌合し、係止部２０２と回転台１４６の間は一定の間隔ができ、前記間隔はエクステンション・アーム１２４を置くことができる。図３の下部図式は、本考案の第一連結パーツと第二連結パーツの嵌合を説明する見取り図であり、第一連結パーツと第二連結パーツの嵌合により、カバープレート１２と下板体１４は嵌合できる。別の実施例の中で、補助パーツは更に固定部２０６を含み、下板体１４を回路板２でロックできる。それ以外に、係止部２０２は開口になる際、スナップパーツ１２６（例えばブロック型突起や点状突起）は係止部２０２（例えば開口）をロックし、カバープレート１２と下板体１４の間の夾角は０度または０度に近い角度を維持する。
【００２０】
図４を合わせて参照すると、本考案の図１のコネクタのＡ−Ａ’の断面を説明する見取り図である。図４の上部図式のロックの見取り図の中で、カバープレート１２と下板体１４の嵌合する際、スナップパーツ１２６は回転台１４６を回転（例えば反時計回り）によりロックし、カバープレート１２と下板体１４はしっかりロックされる。また、図４の下部図式のロック解除の見取り図も合わせて参照する。
【００２１】
ケーブル４を収容空間ＳＰに挿入する際、ホルダー１８はケーブル４を収容空間ＳＰに挟め、またホルダー１８はケーブル４の圧迫により、ホルダー１８の一部分は開口１２２から突起する。外力（引力または引き上げ）をカバープレート１２に与えると、カバープレート１２と下板体１４の間に夾角が生まれ、更にホルダー１８は変形し、ケーブル４を外すことができる。
【００２２】
前記において本考案の典型的実施例を説明したが、これは当業者の本考案の内容に対する理解であり、本考案を制限するものではない。注意すべきは、実施例と同一の効果のある全ての変化と置き換えは、本考案の範囲内である。そのため、本考案の保護範囲の基準は実用新案登録請求の範囲となる。
【符号の説明】
【００２３】
２            回路板
４            ケーブル
１０          コネクタ
１２          カバープレート
１２２        開口
１２４        エクステンション・アーム
１２４２      第一連結パーツ
１２６        スナップパーツ
１４          下板体
１４２        ターミナル溝
１４４        作動溝
１４４２      止めブロック
１４６        回転台
１４６２      第二連結パーツ
１６          ターミナル
１８          ホルダー
２０          補助パーツ
２０２        係止部
２０４        嵌合部
２０６        固定部
ＳＰ          收容空間
【図１】
0003226011.tif 000003
【図２】
0003226011.tif 000004
【図３】
0003226011.tif 000005
【図４】
0003226011.tif 000006